(57)【要約】【課題】  従来の専用つめ切りを使用し爪を切ると、曲っている爪が平板にされて一度に圧し切られることになり指先が痛い。また加齢とともに硬化した爪は平板にされて圧し切られると割れることがある。また、はさみを使用するときは、爪先の曲線に沿ってはさみを回すことが難しく、また指と爪との境目が見分け難く、できるだけ短く切り揃えようとすると、つい深爪を切ってしまう恐れがある。また他人の爪を切る場合は痛みに気づかず危険である。本発明は、爪を切る時の痛みや、爪割れ、深爪の危険をなくし、最も爪の形状に合致した爪先、あるいは使用者の意にそった爪先に切り揃えられるつめ切りを提供することを課題としている。【解決手段】三次元曲線形状を形成して整合研磨された上下一対の刃先を回動自在のシザーズ機構、またはシャーリング機構として爪をせん断するよう形成された三次元曲線形状刃先のつめ切りとするものである。【選択図】  図１
2006000604.tif 000002
【特許請求の範囲】
【請求項１】
三次元曲線形状を形成して整合研磨された刃先を具備する上下１対の鋏片が回動自在の軸系に係止されたシザーズ機構として形成され、前記上下１対の鋏片刃先が常時開放される適度の抗力を有するばね体と、握り手及びレバーとを設けて構成されるつめ切りであって、前記上下１対の鋏片刃先の三次元曲線形状が、第１の任意の円筒形または楕円筒形と第２の任意の円筒形または楕円筒形とが垂直または任意角度で交差する交差軌跡、もしくは任意の円筒形または楕円筒形と平面板とが任意角度で交差（垂直交差を除く）する交差軌跡のうちいずれか一つであることを特徴とする三次元曲線形状刃先のつめ切り。
【請求項２】
三次元曲線形状を形成して整合研磨された刃先を具備する上下１対の鋏片がシャーリング機構として形成され、前記上下１対の鋏片が常時開放される適度の弾性を具備する上部鋏片に切断用レバーを設けて構成されるつめ切りであって、前記上下１対の鋏片刃先の三次元曲線形状が、第１の任意の円筒形または楕円筒形と第２の任意の円筒形または楕円筒形とが垂直または任意角度で交差する交差軌跡、もしくは任意の円筒形または楕円筒形と平面板とが任意角度で交差（垂直交差を除く）する交差軌跡のうちいずれか一つであることを特徴とする三次元曲線形状刃先のつめ切り。
【請求項３】
前記請求項１及び請求項２の三次元曲線形状を形成して整合研磨された上下１対の鋏片刃先が、それぞれの鋏片に互換性を有して着脱自在の替え刃として形成されていることを特徴とする三次元曲線形状刃先のつめ切り。
【発明の詳細な説明】
【技術分野】
【０００１】  本発明は、人体の手、足の爪を切り揃えるつめ切りに関する。
【背景技術】
【０００２】  人体の手や足の爪を切り揃える利器に関しては、つめ切り、またははさみ（鋏）等の利器を用いる。
これらの技術で、公知のものとして次の文献がある。
【特許文献１】特開平９−５６４４７「飛散防止のついたつめ切り」、
【特許文献２】特開２００２−１１２８３１「爪の飛ばないカバーを付けたニッパー式爪切り」、
【特許文献３】特開２００３−２９０５７１「ハサミ」、
【特許文献４】特開平１０−３３８４９「鋏」、
【非特許文献１】日本文化センター発行「最新情報カタログ」２００４年６月号（Ｎｏ．２６）１４頁「爪きりニッパー」
【０００３】  しかし、
【特許文献１】特開平９−５６４４７「飛散防止のついたつめ切り」、
【特許文献２】特開２００２−１１２８３１「爪の飛ばないカバーを付けたニッパー式爪切り」等はつめカスの飛散防止に関する技術である。  またはさみの技術に関しては、
【特許文献３】特開２００３−２９０５７１「ハサミ」、
【特許文献４】特開平１０−３３８４９「鋏」、のほか多数の
【特許文献】があるが、いずれも一般的なはさみに関するものである。また
【非特許文献１】「爪きりニッパー」の刃先に関しては外見上一般のはさみと変わりない。以上のように、いずれも一般的なはさみに関するものであり、特に、人体のつめ切りに関する文献や技術は他に見当たらない。
【発明の開示】
【発明が解決しようとする課題】
【０００４】  爪の形状を考察すると、指先から見た爪の断面は円形または楕円形の一部に類似しており、また平面的に見た爪先も円形または楕円形に類似した形である。また爪は加齢とともに硬化する。一方爪は、各種職業の衛生上清潔にすることが要求され、また人目に目立ち易い個所であり美観のため、ある時期を経ると伸びた分切り揃えられる。
従来、専用つめ切りＤの刃先は、図８ａ、ｂ、ｃに示すように、平面的に見て二次曲線に形成された上下１対の第１鋏片刃先９１と、第２鋏片刃先９２とが爪を平板にして圧し切るように形成されている。したがって、このつめ切りＤを使用し爪を切ると、曲面を有する爪が平板にされて一度に圧し切られることになり指先が痛い。また加齢とともに硬化した爪は平板にされて圧し切られると割れることがある。特に足爪が割れると、靴下を履くとき割れた爪先に靴下の繊維が引っかかり履き難い、また、靴下を履いていない場合、下着やズボンを穿く時繊維や縫い目に引っかかり不快感を覚える。また一度割れを起こすと次に切り揃えるときも割れやすく入念な手入れが常に必要となり面倒である。
また、はさみを使用するときは、爪先の曲線に沿ってはさみを回すことが難しく、また指と爪との境目が見分け難く、できるだけ短く切り揃えようとすると、つい深爪を切ってしまう恐れがある。特に他人の爪を切る場合は痛みに気づかず危険である。こうしたことはつめ切りの刃先の形状に問題がある。
以上に鑑み、本発明は、爪を切る時の痛みや、爪割れ、深爪の危険をなくし、最も爪の形状に合致した爪先、あるいは使用者の意に添う美観を伴う爪先に切り揃えられるつめ切りを提供することを課題としている。
【課題を解決するための手段】
【０００５】前述の課題を解決する請求項１記載の手段は、三次元曲線形状を形成して整合研磨された刃先を具備する上下１対の鋏片が回動自在の軸系に係止されたシザーズ機構として形成され、また前記上下１対の鋏片刃先が常時開放される適度の抗力を有するばね体と、握り手及びレバーとを設けて構成されるつめ切りであって、前記上下１対の鋏片刃先の三次元曲線形状が、第１の任意の円筒形または楕円筒形と第２の任意の円筒形または楕円筒形とが垂直または任意角度で交差する交差軌跡、もしくは任意の円筒形または楕円筒形と平面板とが任意角度で交差（垂直交差を除く）する交差軌跡のうちいずれか一つである三次元曲線形状刃先のつめ切りとするものである。【０００６】請求項２記載の手段は、三次元曲線形状を形成して整合研磨された刃先を具備する上下１対の鋏片がシャーリング機構として形成され、前記上下１対の鋏片が常時開放される適度の弾性を具備する上部鋏片に切断用レバーを設けて構成されるつめ切りであって、前記上下１対の鋏片刃先の三次元曲線形状が、第１の任意の円筒形または楕円筒形と第２の任意の円筒形または楕円筒形とが垂直または任意角度で交差する交差軌跡、もしくは任意の円筒形または楕円筒形と平面板とが任意角度で交差（垂直交差を除く）する交差軌跡のいずれか一つである三次元曲線形状刃先のつめ切りとするものである。【０００７】  請求項３の手段は、前記請求項１及び請求項２手段に記載の三次元曲線形状を形成して整合研磨された上下１対の鋏片刃先が、それぞれの鋏片に上下共互換性を有して着脱自在の替え刃として形成される三次元曲線形状のつめ切りとするものである。
【発明の効果】
【０００８】本発明による請求項１記載の三次元曲線形状刃先のつめ切りは、三次元曲線形状を形成して整合研磨された刃先を具備する上下１対の鋏片が回動自在の軸系に係止されたシザーズ機構として形成され、また前記上下１対の鋏片刃先が常時開放される適度の抗力を有するばね体と、握り手及びレバーとを設けて構成されているので、爪を一方向からせん断するように形成されている。一方、指先から見た爪の断面形状、あるいは平面的に見た爪先も円形または楕円形形状であり、さらには加齢とともに硬化する爪は、ある時期を経て伸びた分切り揃えられるが、はさみを使用すると、爪先の曲線に沿ってはさみを回すことが難しく、また指と爪との境目が見分け難く、できるだけ短く切り揃えようとして、つい深爪を切ってしまう恐れがあり、特に他人の爪を切る場合は痛みに気づかず危険である。こうしたことはつめ切りの刃先の形状に問題があった。本発明によると、爪を切る時の痛みや、爪割れ、深爪の危険をなくし、最も爪の形状に合致した爪先として、また各種職業の衛生上清潔にすることが要求される爪先、あるいは使用者の意にそう美観を伴う爪先に切り揃えられる最も効果的なつめ切りを提供することができる。【０００９】本発明による請求項２記載の三次元曲線形状刃先のつめ切りは、三次元曲線形状を形成して整合研磨された刃先を具備する上下１対の鋏片がシャーリング機構として形成され、前記上下１対の鋏片が常時開放される適度の弾性を具備する上部鋏片に切断用レバーを設けて構成されているので、爪を一方向からせん断するように形成されている。その効果については、前記請求項１記載のシザーズ機構と同様であり、詳細説明を省略する。【００１０】  本発明による請求項３記載の三次元曲線形状刃先のつめ切りは、前記請求項１及び請求項２記載の三次元曲線形状を形成して整合研磨された上下１対の鋏片刃先が、それぞれ上下とも互換性を有する着脱自在の替え刃として形成されるので、鋏片刃先の消耗した場合切れ味のよい刃先や、また爪特有の形状に合致した替え刃つめ切りが得られ、互換性のよい、またコスト低減につながり効果は大である。
【発明を実施するための最良の形態】
【００１１】  本発明による実施の形態を図面に基づいて説明する。図１は本発明のシザーズ機構に構成された第１実施例Ａを示し、三次元曲線形状刃先を具備するつめ切りの全体概念図である。図２は本発明のシャーリング機構に構成された第２実施例Ｂを示し、三次元曲線形状刃先を具備するつめ切りの全体概念図である。図３は本発明の第３実施例Ｃの概念図を示し、着脱自在の鋏片と刃先との関連付けの１実施例である。図４は本発明の刃先の断面図である。図５は軸系と上下１対の鋏片との係止状態を示す概念図である。図６は上下１対の鋏片刃先を常時開放状態に保持するばね体の概念図である。図７ａ、７ｂ、７ｃ、７ｄは本発明の第１実施例、第２実施例お呼び第３実施例に適用する三次元曲線刃先の形状を示す幾何的概念図である。なお本例の交差軌跡は円筒形と楕円筒形のうち、楕円筒形もって表示している。また同一形状のものについては同一符号を付している。【００１２】  第１実施例は、図１に示すように、上下１対の第１鋏片１０と第２の鋏片２０が、三次元曲線刃先を有する第１の鋏片刃先１１と第２の鋏片刃先２１とが整合研磨され、回動自在の軸系３０を介して、シザーズ機構として形成され、また前記上下１対の両鋏片が常時開放されるばね体４０を設け、また第２の鋏片２０に切断用レバー５０を設けて構成された三次元曲線形状刃先のつめ切りＡである。図４に示すように、シザーズ機構に組み込まれ整合研磨された三次元曲線形状刃先１１、１２はそれぞれの先端部１２、２２と摺動面１３、２３とで形成され、また前記摺動面１３、２３側には刃物として必要な２番（２番は「逃げ」とも呼ばれることがある）１４、２４がそれぞれ大きい目に設けられている。またシザーズ機構の軸系３０は、図５に示すように、第１鋏片１０に固定された固定部３１と、第２鋏片２０に係止部材３４を介して係止された回動軸部３３とが回動自在に形成されている。また切断用レバー５０は第２鋏片２０の上面に設けられ、また第１鋏片１０の下方面に握り手部５１を設け、使用時には、握り手５１を把握し、前記切断用レバー５０を親指で抑え、第１鋏片刃先１１と第２鋏片刃先２１により爪をせん断するよう形成されている。なお第２鋏片２０の上面に設けられた切断用レバー５０は系止軸５２を介して表裏転回させ、鎖線５３のように収納可能に形成されている。またばね体４０は、図６に示すように、第１鋏片１０もしくは第２鋏片２０のいずれか一方（本例では第１鋏片１０）に端部４１がビス等を使用して固定され、他端４２が第２鋏片２０に当接にして設けられ、上下の鋏片刃先１１、１２が常時適度の開放状態に保持されている。また前記ばね体は板ばねに替えつるまきばねを使用してもよい（図省略）。また上下の鋏片刃先１１、２１を適当な位置に停止させるストッパー４３（回動係止部材３４を利用してもよい）を設けている。レバー５０を矢印のように下げると第２鋏片刃先２１は矢印のように回動して爪をせん断する。また図７ａに示す三次元曲線形状Ｅは、図７ｂ、ｃ、ｄ以下で説明する幾何的概念をもって形成されたＸ軸、Ｙ軸、Ｚ軸の三次元曲線であって、平面１０２上に第１の楕円筒１０１が垂直に立てられている。その楕円筒形１０１は、その端末を結ぶＸ��にｘの総幅と、Ｙ軸に平面１０２からｙの高さと、楕円筒形１０２の両端を結ぶ線からｚの深さとを有している。図７ｂに示す三次曲線形状Ｆは、平面１０２上に第１の楕円筒１０１が垂直に立てられ、その第１の楕円筒形１０１と第２の楕円筒形１０３が主直に交差し、その交差奇跡で形成されたＸ軸、Ｙ軸、Ｚ軸の三次元曲線である。図７ｃに示す三次元曲線形状Ｇは、平面１０２上に第１の楕円筒１０１が垂直に立てられ、その第１の楕円筒形１０１と第２の楕円筒形１０４が任意の角度ｍ°で交差し、その交差奇跡で形成されたＸ軸、Ｙ軸、Ｚ軸の三次元曲線である。また図７ｄに示す三次元曲線Ｈは平面１０２上に第１の楕円筒１０１が垂直に立てられ、その第１の楕円筒形１０１と平面板１０５とが任意の角度ｎ°で交差（垂直交差を除く）し、その交差奇跡Ｈで形成されたＸ軸、Ｙ軸、Ｚ軸の三次元曲線である。【００１３】  第２実施例は、図２に示すように、上下１対の第１の鋏片７０と第２の鋏片７２が三次元曲線形状刃先を有する第１鋏片刃先７１と第２鋏片刃先７３とがシャーリング機構として形成され、また前記上下１対の第１の鋏片刃先７１と第２の鋏片刃先７３が常時開放される適度の弾性を具備する上部鋏片７２に切断用レバーを設けて構成された三次元曲線形状刃先のつめ切りＢである。本実施例の上下１対の鋏片刃先７１、７３は上述した第１実施例と同様の三次元曲線形状に形成されている。レバー７９を矢印のように下げると第２鋏片刃先７３は鎖線７８の位置まで下がり爪をせん断する。【００１４】  第３実施例は、図３に示すように、三次元曲線形状刃先を有する上下１対の第１の鋏片８０と、第２の鋏片８２とが、それぞれ第１鋏片刃先８１と第２鋏片刃先８３とを具備し、第１実施例のつめ切りＡおよび第２実施例のつめきりＢの本体側との互換性を有して構成とされた替え刃である。本替え刃（以下、上下替え刃の着脱構造については、上下同要領のため上部の鋏片８２側についてのみ説明する）は、鋏片８２の中央部に位置決め用孔８３を設け両側をアリ形状８６、８７とし、本体側８５をそのアリ形状に整合された両アリ８８、８９を形成し、また第２鋏片８３に挿通する掛止部９０とつまみ９２を具備し、掛止部９０が嵌脱可能の弾性体で形成された掛止板９１を本体側に設けている。また上部鋏片８３の先端中央部に切り欠き９５と、掛止部９０に切り欠き９６を設けている。この両きり欠き９５と９６を設けたことにより、そのまま押し込み挿着でき、また取り外すときはつまみ９２をつまみ上げ、掛止部９０を位置決め用孔８３から外すだけでよい。
【産業上の利用可能性】
【００１５】  以上説明したように、三次元曲線形状の爪切りを使用すれば安全であり、一方衛生上あるいは美観上必要なものでもある。また現在の技術をもってすれば多少複雑な利器でも簡単に製作できる状況にあり、低コストの利器の利用頻度はかなり高いと期待できる。
【図面の簡単な説明】
【００１６】
【図１】シザーズ機構を有する三次元曲線形状刃先の爪きりの全体概念図。
【図２】シャーリング機構を有する三次元曲線形状刃先の爪きりの全体概念図。
【図３ａ】シザーズ機構及びシャーリング機構を有する三次元曲線形状刃先の爪きり替え刃の概念図。
【図３ｂ】シザーズ機構及びシャーリング機構を有する三次元曲線形状刃先の爪きり替え刃の断面図。
【図４】及びシャーリング機構を有する三次元曲線形状刃先の断面図。
【図５】シザーズ機構に設けられた軸系構造の概念図
【図６】シザーズ機構に設けられたばね体の概念図有する三次元曲線形状刃先の爪きりの全体概念図。
2006000604.tif 000003
【符号の説明】
【００１７】Ａ  三次元曲線形状刃先を具備するシザーズ機構のつめ切り
Ｂ  三次元曲線形状刃先を具備するシャーリング機構のつめ切り
Ｃ  着脱自在の鋏片の替え刃を具備するつめ切りの替え刃部分
Ｄ  従来のつめ切り、
Ｅ、Ｆ、Ｇ、Ｈ  三次元曲線形状の交差軌跡、
１０  第１鋏片、１１、７１、８１  第１の鋏片刃先、２０、７３、８３  第２の鋏片、
２１  第２の鋏片刃先、３０  軸系、４０  ばね体、５０  切断用レバー、
１０１、１０３  楕円筒形、１０２  平面、
８６、８７、８８、８９  アリ形状、９０  掛止部、９６  挿入部。
【図１】
2006000604.tif 000004
【図２】
2006000604.tif 000005
【図３ａ】
2006000604.tif 000006
【図３ｂ】
2006000604.tif 000007
【図４】
2006000604.tif 000008
【図５】
2006000604.tif 000009
【図６】
2006000604.tif 000010
【図７ａ】
2006000604.tif 000011
【図７ｂ】
2006000604.tif 000012
【図７ｃ】
2006000604.tif 000013
【図７ｄ】
2006000604.tif 000014
【図８ａ】
2006000604.tif 000015
【図８ｂ】
2006000604.tif 000016
【図８ｃ】
2006000604.tif 000017